(57)【要約】【課題】回収袋を装着する開口部の開閉が容易で、操作性のよい犬等の糞回収具を提供する。【解決手段】把持部となるパイプ材１１と、パイプ材１１内を摺動移動する操作部材１２と、一本の弾性材からなり、中央領域にリング状の開口部１３を形成し、中央領域に連接する両側部１４、１５はパイプ材１１に挿入されて操作部材１２に固定されるリング形成材１６と、パイプ材１１内に収納されて操作部材１２をパイプ材１１の先側に付勢するコイルスプリング１８と、開口部１３に開いた状態で固定される回収袋１９とを有し、操作部材１２にはパイプ材１１から外側に突出する把手部２７を備え、操作部材１２をパイプ材１１の先側に移動させた状態でリング状の開口部１３が拡径し、操作部材１２をパイプ材の基側に移動させた状態でリング状の開口部１３が縮径して、開口部１３が縮径した状態で操作部材１２をパイプ材１１に固定する第１のロック機構２８が設けられている。【選択図】図１
0003172525.tif 000002
【実用新案登録請求の範囲】
【請求項１】
１）把持部となるパイプ材と、２）前記パイプ材内を摺動移動する操作部材と、３）一本の弾性材からなり、中央領域にリング状の開口部を形成し、該中央領域に連接する両側部は前記パイプ材に先側から挿入されて前記操作部材に固定されるリング形成材と、４）前記パイプ材内に収納されて前記操作部材を該パイプ材の先側に付勢するコイルスプリングと、５）前記リング状の開口部に開いた状態で固定される回収袋とを有し、前記操作部材には前記パイプ材から外側に突出する把手部を備え、前記操作部材を前記パイプ材の先側に移動させた状態で前記リング状の開口部が拡径し、前記操作部材を前記パイプ材の基側に移動させた状態で前記リング状の開口部が縮径し、かつ前記開口部が縮径した状態で前記操作部材を前記パイプ材に固定する第１のロック機構が設けられていることを特徴とする犬等の糞回収具。
【請求項２】
請求項１記載の犬等の糞回収具において、前記リング状の開口部が拡径した状態で、前記操作部材を前記パイプ材に固定する第２のロック機構が設けられていることを特徴とする犬等の糞回収具。
【請求項３】
請求項１又は２記載の犬等の糞回収具において、前記パイプ材の先側の端部には、前記リング形成材が挿通するＹ字状のガイド部材が設けられていることを特徴とする犬等の糞回収具。
【請求項４】
請求項３記載の犬等の糞回収具において、前記Ｙ字状のガイド部材には、前記開口部に装着された前記回収袋の開口側端部を固定する第１のクリップが設けられていることを特徴とする犬等の糞回収具。
【請求項５】
請求項１〜４のいずれか１項に記載の犬等の糞回収具において、前記パイプ材の先側には、前記開口部に装着された前記回収袋の開口側端部を固定する第２の、又は第２及び第３のクリップが鎖材又は紐材を介して取付けられていることを特徴とする犬等の糞回収具。
【請求項６】
請求項１〜５のいずれか１項に記載の犬等の糞回収具において、前記リング状の開口部を形成する前記リング形成材の中央部には、該開口部を円弧状に保持する円弧状保持部が設けられていることを特徴とする犬等の糞回収具。
【請求項７】
請求項１〜６のいずれか１項に記載の犬等の糞回収具において、前記リンク形成材は板バネ材からなって、前記リング状の開口部を形成する先側領域は、その他の領域より幅広となっていることを特徴とする犬等の糞回収具。
【請求項８】
請求項１〜７のいずれか１項に記載の犬等の糞回収具において、前記回収袋の上側開口部には、ゴム環が装着されていることを特徴とする犬等の糞回収具。
【考案の詳細な説明】
【技術分野】
【０００１】
本考案は、例えば、散歩中に犬等に糞をさせる場合、その糞を受けて回収するのに使用する犬等の糞回収具に関する。
【背景技術】
【０００２】
犬を散歩させると、散歩中に道端に糞をすることが多く、このため散歩する人が糞を回収するために、例えば、ビニール袋と糞の掴み具等を携行していた。また、特許文献１に記載のような糞の回収具も提案されている。この回収具は先部がＹ字状となった中空の棒状部と、このＹ字状となった棒状部の一端部から丸く曲げた状態で突出し、端部は棒状部の所定位置で止まるワイヤ（例えば、ピアノ線）と、丸くなったワイヤに装着される袋と、Ｙ字状となった棒状部の端部から出たワイヤが円滑に閉じるようにして設けられたコイルスプリングとを有している。
【先行技術文献】
【特許文献】
【０００３】
【特許文献１】実開平０７−７４０９号公報
【考案の概要】
【考案が解決しようとする課題】
【０００４】
しかしながら、特許文献１に記載の回収具の場合、ワイヤを円形にするには、ワイヤを棒状部の一端から引き出して行う必要があり、この場合、ワイヤの端部の棒状物への掛止状態を解いて、所定径の円形ワイヤにする必要があり、準備に手間取るという問題があった。
また、細いピアノ線を用いると、袋を装着した状態でも自重によってワイヤが下がるので、ある程度太いワイヤを用いる必要があり、そうするとワイヤの屈曲性が悪く、ワイヤを一旦棒状部の外に取り出してまた棒状部にその端部を固定するという操作がしづらいという問題もあった。
【０００５】
本考案は、かかる事情に鑑みてなされたもので、回収袋を装着する開口部の開閉が容易で、操作性のよい犬等の糞回収具を提供することを目的とする。
【課題を解決するための手段】
【０００６】
前記目的に沿う第１の考案に係る犬等の糞回収具は、１）把持部となるパイプ材と、２）前記パイプ材内を摺動移動する操作部材と、３）一本の弾性材からなり、中央領域にリング状の開口部を形成し、該中央領域に連接する両側部は前記パイプ材に先側から挿入されて前記操作部材に固定されるリング形成材と、４）前記パイプ材内に収納されて前記操作部材を該パイプ材の先側に付勢するコイルスプリングと、５）前記リング状の開口部に開いた状態で固定される回収袋とを有し、前記操作部材には前記パイプ材から外側に突出する把手部を備え、前記操作部材を前記パイプ材の先側に移動させた状態で前記リング状の開口部が拡径し、前記操作部材を前記パイプ材の基側に移動させた状態で前記リング状の開口部が縮径し、かつ前記開口部が縮径した状態で前記操作部材を前記パイプ材に固定する第１のロック機構が設けられている。
【０００７】
また、第２の考案に係る犬等の糞回収具は、第１の考案に係る犬等の糞回収具において、前記リング状の開口部が拡径した状態で、前記操作部材を前記パイプ材に固定する第２のロック機構が設けられている。
【０００８】
第３の考案に係る犬等の糞回収具は、第１、第２の考案に係る犬等の糞回収具において、前記パイプ材の先側の端部には、前記リング形成材が挿通するＹ字状のガイド部材が設けられている。
【０００９】
第４の考案に係る犬等の糞回収具は、第３の考案に係る犬等の糞回収具において、前記Ｙ字状のガイド部材には、前記開口部に装着された前記回収袋の開口側端部を固定する第１のクリップが設けられている。
【００１０】
第５の考案に係る犬等の糞回収具は、第１〜第４の考案に係る犬等の糞回収具において、前記パイプ材の先側には、前記開口部に装着された前記回収袋の開口側端部を固定する第２の、又は第２及び第３のクリップが鎖材又は紐材を介して取付けられている。
【００１１】
第６の考案に係る犬等の糞回収具は、第１〜第５の考案に係る犬等の糞回収具において、前記リング状の開口部を形成する前記リング形成材の中央部には、該開口部を円弧状に保持する円弧状保持部が設けられている。
【００１２】
第７の考案に係る犬等の糞回収具は、第１〜第６の考案に係る犬等の糞回収具において、前記リンク形成材は板バネ材からなって、前記リング状の開口部を形成する先側領域は、その他の領域より幅広となっている。
【００１３】
そして、第８の考案に係る犬等の糞回収具は、第１〜第７の考案に係る犬等の糞回収具において、前記回収袋の上側開口部には、ゴム環が装着されている。
【考案の効果】
【００１４】
第１〜第８の考案に係る犬等の糞回収具においては、拡径したリング状の開口部に回収袋の上側開口部を装着して固定することによって、把持部となるパイプ材を操作し、収納袋に犬の糞を回収できる。この後、把手部を操作して、操作部材をパイプ材の基側に引き上げると、開口部が縮径し、回収袋が縮径する。この場合、開口部の拡径及び縮径は、操作部材をパイプ材に沿って移動させることによって行うので、操作が容易である。
また、リング状の開口部が縮径した状態で、操作部材がロックでき、しかもリング形成材を極端に折り曲げることがないので、従来の回収具のように操作に無理がない。
【００１５】
また、第２の考案に係る犬等の糞回収具においては、第２のロック機構が設けられているので、これを操作することによって、リング状の開口部を拡径した状態で保持できる。
第３の考案に係る犬等の糞回収具においては、Ｙ字状のガイド部材が設けられているので、リング形成材による開口部の形成が容易となる。
【００１６】
第４の考案に係る犬等の糞回収具においては、第１のクリップがＹ字状のガイド部材に設けられているので、回収袋の上端の把持が容易となる。
【００１７】
第５の考案に係る犬等の糞回収具においては、第２又は第２、第３のクリップが設けられているので、回収袋をより確実に開口部に固定できる。
【００１８】
第６の考案に係る犬等の糞回収具においては、リング形成材の中央に円弧状保持部が設けられているので、拡径した状態の開口部をより所定のリング形状に近づけることができる。
【００１９】
第７の考案に係る犬等の糞回収具においては、板バネ材からなるリング形成材の中央、即ち先側領域がその他の部分より幅広となっているので、開口部をより大きな曲率円弧でリング状に形成することができる。
【００２０】
そして、第８の考案に係る犬等の糞回収具においては、回収袋の上側開口部に、ゴム環が装着されているので、回収袋が開口部から落下しにくくなる。
【図面の簡単な説明】
【００２１】
【図１】本考案の一実施の形態に係る犬等の糞回収具の正断面図である。
【図２】（Ａ）、（Ｂ）はそれぞれ同犬等の糞回収具に使用する回収袋の正面図及び平面図である。
【図３】（Ａ）、（Ｂ）は同犬等の糞回収具に使用する他の例に係るリング形成部材の説明図である。
【図４】同犬等の糞回収具に更に第２及び第３のクリップを取付けた状態の一部切欠き正面図である。
【考案を実施するための形態】
【００２２】
続いて、添付した図面を参照しながら、本考案を具体化した実施の形態について説明する。図１、図４に示すように、本考案の一実施の形態に係る犬等の糞回収具１０は、把持部となるパイプ材１１と、パイプ材１１内を摺動移動する操作部材１２と、一本の弾性材からなり、その中央領域にリング状の開口部１３を形成し、中央領域に連接する両側部１４、１５はパイプ材１１に先側から挿入されて操作部材１２に固定されるリング形成材１６と、パイプ材１１内に収納されて操作部材１２をパイプ材１１の先側に付勢するコイルスプリング１８と、リング状の開口部１３に開いた状態で固定される回収袋１９とを有している。以下、これらについて詳しく説明する。
【００２３】
パイプ材１１は、例えば、外径が２０〜４０ｍｍ、長さが５０〜１００ｃｍのアルミ製、樹脂製、又は炭素繊維を用いた軽量の筒状材からなり、先側の端部にはリング形成材１６が挿通するＹ字状のガイド部材２０がねじ結合又は接着剤等によって固定され、基側には吊り下げ紐２１が設けられたキャップ２２がねじ又は接着剤によって固定されている。
【００２４】
パイプ材１１の内部に、アルミニウム、プラスチック又は木製の操作部材１２が摺動移動可能に設けられ、この操作部材１２にはリング形成材１６の両端部２４、２５が固定されている。この操作部材１２にはパイプ材１１に形成された直線溝２６から外側に突出する把手部２７が設けられている。この直線溝２６はパイプ材１１の一部を切り欠いて形成され、直線溝２６の両側端部には把手部２７が掛け止めされる第１、第２のロック機構の一例である掛止部２８、２９が形成されている。
【００２５】
操作部材１２の基側（即ち、パイプ材１１の基側に向く部位）には、コイルスプリング１８、及びコイルスプリング１８の他側を受ける止め板３１が設けられ、常時、操作部材１２をパイプ材１１の先側（即ち、先側）に押圧している。従って、常時操作部材１２はパイプ材１１の先側に付勢されているので、第２のロック機構を形成する掛止部２９は省略できるが、あれば操作部材１２が固定されるので動作が安定する。なお、コイルスプリング１８は把手部２７を基側に移動させて、掛止部２８に把手部２７を仮固定でき、更に把手部２７を先側に移動させても、掛止部２９に把手部２７が掛止できる長さと弾力性を有している。
【００２６】
この実施の形態では、リング形成材１６は断面円形のピアノ線又はワイヤによって形成され、リング形成材１６によって形成される開口部１３に回収袋１９を装着しても、パイプ材１１の先端から垂れ下がらないように構成されているが、図３（Ａ）、（Ｂ）に示すように、板バネ材３２を使用し、リング状の開口部１３を形成する先側中央領域Ａ−Ｂでは幅（即ち、高さ）を大きくし、Ｂ−Ｃではその幅を中程度とし、Ｃより基側（Ｄ）ではその幅を最小としている。即ち、その開口部１３を形成する先側中央領域Ａ−Ｂは他の部分より幅広となっている。
【００２７】
これによって、開口部１３が拡大した場合の形状をより円に近づけることができる。また、幅狭のＣより基側の領域は、パイプ材１３内に確実に入るようにするため、角度ＣＯＣ（θ１）は約１５０〜１８０度とするのがよい。また、角度ＢＯＢ（θ２）は約１１０〜９０度とするのがよい。また、場合によっては、Ｂ−Ｄを幅狭とし、パイプ材１１内に収納できるようにしてもよい。
【００２８】
リング形成材１６を断面円形のワイヤ又はピアノ線で形成する場合には、図１に示すように、開口部１３を形成するリング形成材１６の先側中央領域３３には開口部１３を円弧状に保持する円弧状保持部３４を設けるのがよい。この円弧状保持部３４はリング形成材１６を補強するものであれば、パイプ材、半割り材のいずれであってもよい。これによって開口部１３の先側の形状が保持される。また、開口部１３が縮径した場合であっても、弾性限度内で適当に丸くなる材料を使用するのがよい。
【００２９】
図１に示すように、Ｙ字状のガイド部材２０には第１のクリップ３６が設けられている。この第１のクリップ３６は、対となる支持部３７に挟まれてピン３８を介して回動自在に設けられている略Ｓ字状の支持片３９と、支持片３９をＹ字状のガイド部材２０の分岐部に押圧する図示しないスプリングとを有し、開口部１３に装着された回収袋１９の開口側端部（上端部）をガイド部材２０に押しつけて固定している。
【００３０】
また、図４に示すように、ガイド部材２０の基側に貫通孔４０、４１を有する取付け片４２、４３を設け、第２、第３のクリップ４５、４６を鎖材４７、４８（又は紐材）によって設けることも可能である。ここで、第２、第３のクリップ４５、４６は例えば、洗濯挟みのようなものや、紙挟みのようなものでも可能であり、取付けられた回収袋１９の開口側端部を開口部１３を形成するリング形成材１６に固定する。なお、鎖材４７の長さを長くして第２のクリップ４５のみとすることもできる。
【００３１】
回収袋１９は図２（Ａ）、（Ｂ）に示すように、上側開口部５０が開口部１３と同一かより広い面積を有している。この回収袋１９は防水性を有する極めて薄い合成樹脂シートであるのがよい。そして、上側開口部５０にゴム環５１を装着するのが好ましい。なお、ゴム環５１の開口面積は、拡径時の開口部１３の面積より小さいのが好ましい。
【００３２】
この犬等の糞回収具１０を使用する場合には、把手部２７をパイプ材１１の先側に移動させて把手部２７を掛止部２９（第２のロック機構）に掛止して、開口部１３を拡径し、開口部１３に回収袋１９を装着する。この場合、回収袋１９にゴム環５１が設けられていると、リング形成材１６を囲むようにして回収袋１９の上側開口部５０を折り曲げることによって、リング形成材１６に取付けることができる。ゴム環５１が設けられていない場合は、第１〜第３のクリップ３６、４５、４６を用いて、回収袋１９の上部をリング形成材１６に固定できる。
【００３３】
この状態で、犬の糞を回収すると、把手部２７をパイプ材１１の基側に引き上げて把手部２７を掛止部２８（第１のロック機構）に掛止し、開口部１３を縮径する。これによって、回収袋１９の上側開口部５０も縮径し、回収袋１９に入れた糞を零すことがなくなる。回収した糞を捨てる場合は、回収袋１９を開口部１３から取り外して捨てることになる。
本考案は前記した実施の形態に限定されるものではなく、本考案の要旨を変更しない範囲でその構成、又は数値、形状等を変更することもできる。
【符号の説明】
【００３４】
１０：犬等の糞回収具、１１：パイプ材、１２：操作部材、１３：開口部、１４、１５：側部、１６：リング形成材、１８：コイルスプリング、１９：回収袋、２０：ガイド部材、２１：吊り下げ紐、２２：キャップ、２４、２５：端部、２６：直線溝、２７：把手部、２８、２９：掛止部、３１：止め板、３２：板バネ材、３３：先側中央領域、３４：円弧状保持部、３６：第１のクリップ、３７：支持部、３８：ピン、３９：支持片、４０、４１：貫通孔、４２、４３：取付け片、４５：第２のクリップ、４６：第３のクリップ、４７、４８：鎖材、５０：上側開口部、５１：ゴム環
【図１】
0003172525.tif 000003
【図２】
0003172525.tif 000004
【図３】
0003172525.tif 000005
【図４】
0003172525.tif 000006